(57)【特許請求の範囲】
【請求項１】
画像を表示する表示ユニットと、前記表示ユニットの背面側に配置される回路基板と、前記表示ユニットを収納する前記回路基板に比べて柔らかい材料である中ケースと、前記回路基板を収納する下ケースと、を備え、
前記表示ユニットは、前記中ケースを取付けるための第１取付部と、前記中ケースを貫通させると共に前記回路基板及び前記下ケースを取付けるための第２取付部と、を有し、
前記第１取付部は、前記表示ユニットの前記回路基板を背面側に配置しない一辺側に配置され、
前記第２取付部は、前記表示ユニットの前記回路基板を背面側に配置する前記一辺側の反対の他辺側に配置されることを特徴とする表示装置。
【請求項２】
前記表示ユニットは、前記一辺側に配置され、前記中ケース及び前記下ケースを取付けるための第３取付部を更に有することを特徴とする請求項１に記載の表示装置。
【請求項３】
前記表示ユニットは、前記他辺側に配置され、前記中ケースを貫通させると共に前記回路基板のみを取付けるための第４取付部を更に有することを特徴とする請求項２に記載の表示装置。
【請求項４】
前記表示ユニットの前記第１取付部及び前記第２取付部は、金属製のシールドケースに一体形成されたものであることを特徴とする請求項１に記載の表示装置。
【発明の詳細な説明】
【技術分野】
【０００１】
本発明は、表示ユニットが収納されるケースを備えた表示装置に関するものである。
【背景技術】
【０００２】
従来より、ケース内に表示ユニットを収納した表示装置が種々提案されており、例えば特許文献１に開示されている。表示装置は、表示ユニットと、この表示ユニットが収納されるケースを有しており、表示ユニットは、ＴＦＴ型と称される表示素子と、この表示素子を照明するバックライト装置と、表示素子やバックライト装置が保持される合成樹脂製のホルダと、ホルダに表示素子やバックライト装置を固定しておく金属製の押え枠と、ホルダの背後に配置され表示素子の駆動や光源を点灯させる電子部品などが実装された回路基板と、鋼材からなるシールドケースなどを備えている。
【０００３】
このような表示ユニットは、表示ユニットに設けた取付部と、ケース及び回路基板とを、ビス締めによって固定するものが一般的に知られている。
【先行技術文献】
【特許文献】
【０００４】
【特許文献１】特開平１１−２６８５５７号公報
【発明の開示】
【発明が解決しようとする課題】
【０００５】
しかしながら、表示ユニットを、回路基板を間に介して樹脂製のケースに固定する場合、表示ユニットに伝わる取付歪によって表示画面に変形が生じてしまうという問題点があった。
【０００６】
本発明はこの様な点に鑑みなされたもので、表示画面に変形が生じることを抑えた商品性が良好な表示装置を提供することを目的とする。
【課題を解決するための手段】
【０００７】
本発明は前記目的を達成するため、画像を表示する表示ユニットと、前記表示ユニットの背面側に配置される回路基板と、前記表示ユニットを収納する前記回路基板に比べて柔らかい材料である中ケースと、前記回路基板を収納する下ケースと、を備え、前記表示ユニットは、前記中ケースを取付けるための第１取付部と、前記中ケースを貫通させると共に前記回路基板及び前記下ケースを取付けるための第２取付部と、を有し、前記第１取付部は、前記表示ユニットの前記回路基板を背面側に配置しない一辺側に配置され、前記第２取付部は、前記表示ユニットの前記回路基板を背面側に配置する前記一辺側の反対の他辺側に配置されるものである。
【０００８】
また、前記表示ユニットは、前記一辺側に配置され、前記中ケース及び前記下ケースを取付けるための第３取付部を更に有するものである。
【０００９】
また、前記表示ユニットは、前記他辺側に配置され、前記中ケースを貫通させると共に前記回路基板のみを取付けるための第４取付部を更に有するものである。
【００１０】
また、前記表示ユニットの前記第１取付部及び前記第２取付部は、金属製のシールドケースに一体形成されたものである。
【発明の効果】
【００１１】
本発明によれば、表示画面に変形が生じることを抑えた商品性が良好な表示装置を提供することができる。
【図面の簡単な説明】
【００１２】
【図１】本発明の第１実施形態を示す表示装置の正面図。
【図２】同表示装置の取付部周辺を示す図１のＡ−Ａ断面図。
【図３】本発明の第２実施形態を示す表示装置の中ケースの背面図。
【図４】同表示装置の回路基板の背面図。
【図５】同表示装置の下ケースの背面図。
【図６】同表示装置の中ケースと回路基板の背面図。
【図７】図６のＢ−Ｂ断面図。
【図８】図６のＣ−Ｃ断面図。
【発明を実施するための最良の形態】
【００１３】
本発明を、図１及び図２に基づいて、車両用の表示装置に適用した例を第１実施形態として説明する。
【００１４】
表示ユニット１は、本実施形態ではＴＦＴ型の表示素子１３を備え、図示しないが、表示素子１３が収納されるホルダ、照明部材、シールドケース５などがユニット化されたものである。
【００１５】
ケース２は、例えば白色の合成樹脂等から成形された中ケース２Ａと、例えば黒色の合成樹脂等から成形された下ケース２Ｂとで構成されており、フック等の係合部によって係合固定されている。
【００１６】
シールドケース５は、本実施形態においては、金属材料から形成され、表示素子１３の外周側を覆うように配置されている。図示しないが、表示素子１３からは可撓性配線部材（ＦＰＣ）が延設され、背後に位置する回路基板８に接続される。また、シールドケース５には、後述するビス１０がビス締めされる複数の取付部５１が一体形成されている。
【００１７】
取付部５１は、中ケース２Ａのみが取付けられる第１取付部５１Ａと、回路基板８及び下ケース２Ｂが取付けられる第２の取付部５１Ｂと、からなる。
【００１８】
中ケース２Ａは、図２に示すように、表示ユニット１が収納される収納部２１が形成されている。収納部２１の底面には、第２取付部５１Ｂが貫通する貫通孔２Ａ１が形成されている。また、中ケース２Ａは、図２に示すように、ビス１０が第１取付部５１Ａに挿入されるための挿入孔２Ａ２が形成されている。
【００１９】
下ケース２Ｂには、ビス１０が第２取付部５１Ｂに挿入されるための挿入孔２Ｂ３が形成されている。
【００２０】
回路基板８は、図２に示すように、中ケース２Ａや下ケース２Ｂよりも小さい面積となっており、挿入孔２Ｂ３から挿入されたビス１０が第２取付部５１Ｂに挿入されるための貫通孔８１が形成されている。
【００２１】
表示ユニット１の図１中の右側には、指針式計器３０が配置されている。指針式計器３０は、指針３１と、指針３１によって指示される指標部を備えた文字板３２と、文字板３２を背後から照明する光源３３とを備えている。指針３１は、回路基板８の背面側に配置された駆動源３５から延びる指針軸の先端に装着されている。文字板３２は、中ケース２Ａによって保持されている。光源３３は、回路基板８上に配置されている。
【００２２】
表示ユニット１の中ケース２Ａ及び下ケース２Ｂへの組み付けを説明する。表示ユニット１のシールドケース５に形成された取付部５１のうち、第２取付部５１Ｂが中ケース２Ａの貫通孔２Ａ１を貫通するように、表示ユニット１を収納部２１に収納する。第１取付部５１Ａと中ケース２Ａは、中ケース２Ａの挿入孔２Ａ２から挿入されたビス１０でビス締めされる。
【００２３】
第２取付部５１Ｂが貫通孔２Ａ１を貫通し、回路基板８と当接するように、回路基板８を中ケース２Ａの背面側に配置する。第２取付部５１Ｂは、下ケース２Ｂに形成された挿入孔２Ｂ３から挿入されたビス１０が、回路基板８の貫通孔８１と中ケース２Ａの貫通孔２Ａ１を貫通したのちに、回路基板８と、下ケース２Ｂとがビス締めされる。
【００２４】
この様に、画像を表示する表示ユニット１と、表示ユニット１の背面側に配置される回路基板８と、表示ユニット１を収納する中ケース２Ａと、回路基板８を収納する下ケース２Ｂと、を有し、表示ユニット１は、その背面側に取付部５１を備え、取付部５１は、中ケース２Ａを取付けるための第１取付部５１Ａと、回路基板８及び下ケース２Ｂを取付けるための第２取付部５１Ｂと、からなることによって、表示ユニット１が、回路基板８を介さずに中ケース２Ａのみがビス締めされる第１取付部５１Ａと、回路基板８及び下ケース２Ｂが取付けられる第２の取付部５１Ｂとを備え、回路基板８に比べて柔らかい材料である中ケース２Ａにビス締めされる取付部５１を有しているため、表示ユニット１に伝わる取付歪が緩和され、表示画面の歪みを低減することができる。
【００２５】
なお、本実施形態では、取付部５１が表示ユニット１のシールドケース５に一体形成された例を説明したが、例えば、取付部５１が表示ユニット１の樹脂性ケースに形成され、シールドケースの貫通孔又は切り欠きより露出する構造であってもよく、各部品の組み付けがなされるならば、取付部の材料は金属製に限定されない。
【００２６】
図３乃至図８に基づいて、第２実施形態を説明する。なお、第１実施形態と重複する構成の説明は省略する。
【００２７】
取付部５１は、中ケース２Ａのみが取付けられる第１取付部５１Ａと、回路基板８及び下ケース２Ｂが取付けられる第２取付部５１Ｂと、中ケース２Ａ及び下ケース２Ｂが取付けられる第３取付部５１Ｃと、中ケース２Ａを貫通すると共に回路基板８が取付けられる第４取付部５１Ｄと、からなる。
【００２８】
第１取付部５１Ａは、第１実施形態と同様に、中ケース２Ａに形成された挿入孔２Ａ２から挿入されたビス１０によってビス締めされる。
【００２９】
第２取付部５１Ｂは、第１実施形態と同様に、下ケース２Ｂに形成された挿入孔２Ｂ３から挿入されたビス１０が、回路基板８の貫通孔８１と中ケース２Ａの貫通孔２Ａ１を貫通したのちに回路基板８と、下ケース２Ｂとがビス締めされる。
【００３０】
中ケース２Ａには、第１実施形態と同様に、貫通孔２Ａ１及び挿入孔２Ａ２が形成されている。また、中ケース２Ａは、図３、図６、図７、図８に示すように、第３取付部５１Ｃに挿入されるビス１０が貫通するための貫通孔２Ａ３と、ビス１０が挿入される第４取付部５１Ｄが貫通するための貫通孔２Ａ４が形成されている。
【００３１】
下ケース２Ｂには、ビス１０が第２取付部５１Ｂ及び第３取付部５１Ｃに挿入されるための挿入孔２Ｂ３、２Ｂ４が形成されている。
【００３２】
回路基板８は、図４、６に示すように、中ケース２Ａよりも小さい面積となっており、第２取付部５１Ｂ及び第４取付部５１Ｄにビス１０が挿入されるための貫通孔８１、８２が回路基板８の短手方向の中心線Ｍに沿って形成されている。
【００３３】
表示ユニット１の中ケース２Ａ及び下ケース２Ｂへの組み付けを説明する。表示ユニット１のシールドケース５に形成された取付部５１のうち第２取付部５１Ｂと第４取付部５１Ｄとが、中ケース２Ａの貫通孔２Ａ１、２Ａ４を貫通するように、表示ユニット１を収納部２１に収納する。第１取付部５１Ａは、中ケース２Ａの挿入孔２Ａ２から挿入したビス１０でビス締めされる。
【００３４】
第４取付部５１Ｄが中ケース２Ａの貫通孔２Ａ４を通り、回路基板８と当接するように、回路基板８を中ケース２Ａの背面側に配置する。第４取付部５１Ｄは、回路基板８の挿入孔８２から挿入されたビス１０が中ケース２Ａの貫通孔２Ａ４を貫通したのちにビス締めされる。
【００３５】
第２取付部５１Ｂは、下ケース２Ｂの挿入孔２Ｂ３から挿入されたビス１０によってビス締めされる。第２取付部５１Ｂが回路基板８と当接し、第２取付部５１Ｂに対応するように下ケース２Ｂに形成された挿入孔２Ｂ３からビス１０を挿入し、第２取付部５１Ｂと下ケース２Ｂをビス締めする。
【００３６】
第３取付部５１Ｃは、下ケース２Ｂに形成された挿入孔２Ｂ４から挿入されたビス１０が中ケース２Ａの貫通孔２Ａ３を貫通したのちにビス締めされる。
【００３７】
このように、画像を表示する表示ユニット１と、表示ユニット１の背面側に配置される回路基板８と、表示ユニット１を収納する中ケース２Ａと、回路基板８を収納する下ケース２Ｂと、を有し、表示ユニット１は、その背面側に取付部５１を備え、取付部５１は、中ケース２Ａを取付けるための第１取付部５１Ａと、回路基板８及び下ケース２Ｂを取付けるための第２取付部５１Ｂと、中ケース２Ａ及び下ケース２Ｂを取付けるための第３取付部５１Ｃと、からなることによって、表示ユニット１が、回路基板８を介さずに中ケース２Ａのみがビス締めされる第１取付部５１Ａと、回路基板８及び下ケース２Ｂが取付けられる第２の取付部５１Ｂと、中ケース２Ａ及び下ケース２Ｂが取付けられる第３取付部５１Ｃと、を備え、回路基板８に比べて柔らかい材料である中ケース２Ａにビス締めされる取付部５１を有しているため、表示ユニット１に伝わる取付歪が緩和され、表示画面の歪みを低減することができる。
【００３８】
また、画像を表示する表示ユニット１と、表示ユニット１の背面側に配置される回路基板８と、表示ユニット１を収納する中ケース２Ａと、回路基板８を収納する下ケース２Ｂと、を有し、表示ユニット１は、その背面側に取付部５１を備え、取付部５１は、中ケース２Ａを取付けるための第１取付部５１Ａと、回路基板８及び下ケース２Ｂを取付けるための第２取付部５１Ｂと、中ケース２Ａ及び下ケース２Ｂを取付けるための第３取付部５
１Ｃと、回路基板８及び中ケース２Ａを取付けるための第４取付部５１Ｄと、からなることによって、表示ユニット１が、回路基板８を介さずに中ケース２Ａのみがビス締めされる第１取付部５１Ａと、回路基板８及び下ケース２Ｂが取付けられる第２の取付部５１Ｂと、中ケース２Ａ及び下ケース２Ｂが取付けられる第３取付部５１Ｃと、回路基板８及び中ケース２Ａが取付けられる第４取付部５１Ｄとを備え、回路基板８に比べて柔らかい材料である中ケース２Ａにビス締めされる取付部５１を有しているため、表示ユニット１に伝わる取付歪が緩和され、表示画面の歪みを低減することができる。
【符号の説明】
【００３９】
１      表示ユニット
２Ａ    上ケース
２１    収納部
２Ａ１  貫通孔
２Ａ２  挿入孔
２Ａ３  貫通孔
２Ａ４  貫通孔
２Ｂ    下ケース
２Ｂ３  挿入孔
２Ｂ４  挿入孔
５      シールドケース
８      回路基板
１０    ビス
５１    取付部
５１Ａ  第１取付部
５１Ｂ  第２取付部
５１Ｃ  第３取付部
５１Ｄ  第４取付部
１３    表示素子
８１    貫通孔
８２    挿入孔
【図１】
0006573103.tif 000002
【図２】
0006573103.tif 000003
【図３】
0006573103.tif 000004
【図４】
0006573103.tif 000005
【図５】
0006573103.tif 000006
【図６】
0006573103.tif 000007
【図７】
0006573103.tif 000008
【図８】
0006573103.tif 000009